(57)【要約】  走行経路表示装置（１）は、表示部（１３０）と３次元の地形データを記憶する地形データ記憶部（１１０ｂ）と、車両の走行経路及び当該走行経路における前記車両の運行状況に関する走行データを記憶する走行データ記憶部（１１０ｃ）と、前記地形データ記憶部（１１０ｂ）に記憶されている前記地形データを前記表示部（１３０）に表示する際に、前記走行データ記憶部（１１０ｃ）に記憶されている前記走行データが示す走行経路を、前記運行状況に応じた表示態様で、前記表示部（１３０）に同時に表示する制御部（１２０）とを有する。
2014196633.tif 000002
【特許請求の範囲】
【請求項１】
表示部と、
３次元の地形データを記憶する地形データ記憶部と、
車両の走行経路及び当該走行経路における前記車両の運行状況に関する走行データを記憶する走行データ記憶部と、
前記地形データ記憶部に記憶されている前記地形データを前記表示部に表示する際に、前記走行データ記憶部に記憶されている前記走行データが示す走行経路を、前記運行状況に応じた表示態様で、前記表示部に同時に表示する制御部と
を有することを特徴とする走行経路表示装置。
【請求項２】
前記走行データは、前記車両の位置に対応付けて、前記車両の速度、前記車両の加速度、前記車両の勾配及び前記車両の標高の少なくとも１つを前記運行状況として保持することを特徴とする請求項１に記載の走行経路表示装置。
【請求項３】
前記制御部は、前記走行経路を線として描画し、前記運行状況に基づいて、前記走行経路における前記線の幅を変化させることを特徴とする請求項１又は２に記載の走行経路表示装置。
【請求項４】
前記制御部は、前記走行経路を当該走行経路に対して鉛直な方向に立体的な厚みを持った線として描画し、前記運行状況に基づいて、前記厚みを変化させることを特徴とする請求項１又は２に記載の走行経路表示装置。
【請求項５】
前記制御部は、前記走行経路を複数の点を含む点線として描画し、前記運行状況に基づいて、前記点線に含まれる点の大きさを変化させることを特徴とする請求項１又は２に記載の走行経路表示装置。
【請求項６】
前記制御部は、前記走行経路を表示する際に、車両の進行方向を示す情報を付加することを特徴とする請求項１〜５のいずれか１つに記載の走行経路表示装置。
【請求項７】
前記制御部は、前記走行経路を表示する際に、前記運行状況が所定の値の範囲内にある区間の表示態様を他の区間の表示態様と異ならせることを特徴とする請求項１〜６のいずれか１つに記載の走行経路表示装置。
【請求項８】
コンピュータに実行させる走行経路表示方法であって、
前記コンピュータに、
３次元の地形データを記憶する地形データ記憶部から前記地形データを取得するステップと、
車両の走行経路及び当該走行経路における前記車両の運行状況に関する走行データを記憶する走行データ記憶部から前記走行データを取得するステップと、
前記地形データを前記表示部に表示する際に、前記走行データ記憶部に記憶されている前記走行データが示す走行経路を、前記運行状況に応じた表示態様で、表示部に同時に表示するステップと
を実行させることを特徴とする走行経路表示方法。
【請求項９】
コンピュータに、
３次元の地形データを記憶する地形データ記憶部から前記地形データを取得するステップと、
車両の走行経路及び当該走行経路における前記車両の運行状況に関する走行データを記憶する走行データ記憶部から前記走行データを取得するステップと、
前記地形データを前記表示部に表示する際に、前記走行データ記憶部に記憶されている前記走行データが示す走行経路を、前記運行状況に応じた表示態様で、表示部に同時に表示するステップと
を実行させることを特徴とする走行経路表示プログラム。
【発明の詳細な説明】
【技術分野】
【０００１】
本発明は、走行経路表示装置、走行経路表示方法及び走行経路表示プログラムに関する。
【背景技術】
【０００２】
近年、車両の走行を支援することを目的として、ＧＰＳ（Ｇｌｏｂａｌ  Ｐｏｓｉｔｉｏｎｉｎｇ  Ｓｙｓｔｅｍ）を利用して車両の位置や速度などを計測し、車載のモニタに表示するナビゲーションシステムが広く利用されている。例えば、特許文献１には、ＧＰＳ受信機からの測位データに基づいて、現在の走行状況を表すグラフをディスプレイに表示させるエコドライブ支援装置が開示されている。
【先行技術文献】
【特許文献】
【０００３】
【特許文献１】特開２００７−２７８９１１号公報
【発明の概要】
【発明が解決しようとする課題】
【０００４】
広く利用されているナビゲーションシステム等では、走行経路を含む２次元のデータ上に車両の位置や速度などの車両の運行状況を表示するものがある。しかしながら、車両の運行状況の表示方法には、運行状況の利用目的に応じた変更の余地が残されている。【０００５】
本発明は、上記に鑑みてなされたものであって、車両の運行状況を分り易く表示することが可能な走行経路表示装置、走行経路表示方法及び走行経路表示プログラムを提供することを目的とする。
【課題を解決するための手段】
【０００６】
上述した課題を解決し、目的を達成するために、本発明は、表示部と、３次元の地形データを記憶する地形データ記憶部と、車両の走行経路及び当該走行経路における前記車両の運行状況に関する走行データを記憶する走行データ記憶部と、前記地形データ記憶部に記憶されている前記地形データを前記表示部に表示する際に、前記走行データ記憶部に記憶されている前記走行データが示す走行経路を、前記運行状況に応じた表示態様で、前記表示部に同時に表示する制御部とを有することを特徴とする。【０００７】
また、本発明は、コンピュータに実行させる走行経路表示方法であって、前記コンピュータに、３次元の地形データを記憶する地形データ記憶部から前記地形データを取得するステップと、車両の走行経路及び当該走行経路における前記車両の運行状況に関する走行データを記憶する走行データ記憶部から前記走行データを取得するステップと、前記地形データを前記表示部に表示する際に、前記走行データ記憶部に記憶されている前記走行データが示す走行経路を、前記運行状況に応じた表示態様で、表示部に同時に表示するステップとを実行させることを特徴とする。【０００８】
また、本発明は、コンピュータに、３次元の地形データを記憶する地形データ記憶部から前記地形データを取得するステップと、車両の走行経路及び当該走行経路における前記車両の運行状況に関する走行データを記憶する走行データ記憶部から前記走行データを取得するステップと、前記地形データを前記表示部に表示する際に、前記走行データ記憶部に記憶されている前記走行データが示す走行経路を、前記運行状況に応じた表示態様で、表示部に同時に表示するステップとを実行させることを特徴とする。
【図面の簡単な説明】
【０００９】
【図１】図１は、本実施形態に係る全体構成の一例を示す図である。
【図２】図２は、本実施形態に係る走行経路表示装置１の機能構成の一例を示すブロック図である。
【図３】図３は、走行データのデータ構成の一例を示す図である。
【図４】図４は、本実施形態に係る走行経路表示方法の処理手順を示すフローチャートである。
【図５】図５は、表示部に同時に表示される地形の画像と走行経路の画像の例を示す図である。
【図６】図６は、表示部に同時に表示される地形の画像と走行経路の画像の例を示す図である。
【図７】図７は、表示部に同時に表示される地形の画像と走行経路の画像の例を示す図である。
【図８】図８は、表示部に同時に表示される地形の画像と走行経路の画像の例を示す図である。
【図９】図９は、車両の運行状況を示すグラフの例を示す図である。
【図１０】図１０は、表示部に同時に表示される地形の画像と走行経路の画像の他の例を示す図である。
【発明を実施するための形態】
【００１０】
以下、図面を参照しつつ、本出願により開示する技術である本発明を実施するための形態（以下、実施形態という）について詳細に説明する。なお、以下に説明する実施形態により、本発明が限定されるものではない。また、以下の実施形態で説明する技術的事項には、当業者が容易に想定できるもの、実質的に同一のものが含まれる。さらに、以下の実施形態で説明する技術的事項は、本発明の目的を達成する上で必要と認める範囲において、適宜組み合わせることが可能である。
【００１１】
図１は、本実施形態に係る全体構成の一例を示す図である。車両２には、運行状況（走行状況）を測定するためのＧＰＳ受信機等の測定器が搭載される。ＧＰＳ受信機は、複数の衛星からの信号を受信することにより、車両２の位置及び標高（高度）を３次元的に測定する。ＧＰＳ受信機を用いて測定した位置及び標高を時系列的に用いることにより、車両２の速度、加速度及び傾き（車両２が走行している面の勾配）等を計算することができる。ＧＰＳ受信機は、時刻、速度、垂直速度、方位、前後加速度、横加速度、移動距離等を測定又は計算する機能を有してもよい。ＧＰＳ受信機は、車両２の複数の部分に備えられたアンテナで受信した信号に基づいて、車両２の傾き（勾配）を計算する機能を有してもよい。車両２には、衛星を用いて測位を行う他のシステムの受信機が搭載されてもよい。車両２には、運行状況を測定するために、ＧＰＳ受信機に代えて、又はＧＰＳ受信機に加えて、速度メータ、加速度センサ、ジャイロセンサ、気圧センサ、温度センサなどの測定器が搭載されてもよい。車両２は、測定器によって所定の周期で測定した情報を測定データとして記録する。
【００１２】
走行経路表示装置１は、車両２から測定データを取得する。走行経路表示装置１は、車両２から無線通信により測定データを取得してもよいし、有線接続により測定データを取得してもよいし、記憶媒体を介して測定データを取得してもよい。走行経路表示装置１は、複数の車両２から測定データを取得することができる。
【００１３】
図２は、本実施形態に係る走行経路表示装置１の機能構成の一例を示すブロック図である。図２は、本実施形態に係る走行経路表示装置１の機能構成を説明する上で必要となる機能部のみを図示する。図２に示すように、走行経路表示装置１は、例えば、パーソナルコンピュータなどの情報処理装置であり、記憶部１１０と、制御部１２０と、表示部１３０と、操作部１４０とを有する。
【００１４】
記憶部１１０は、制御部１２０による各種処理に必要なデータ及びプログラムを記憶する。記憶部１１０は、ハードディスク装置や光磁気ディスク装置、又はフラッシュメモリ等の不揮発性のメモリ（ＣＤ−ＲＯＭ等のような読み出しのみが可能な記憶媒体）や、ＲＡＭ（Ｒａｎｄｏｍ  Ａｃｃｅｓｓ  Ｍｅｍｏｒｙ）のような揮発性のメモリ、あるいはこれらの組み合わせにより構成される。
【００１５】
記憶部１１０は、本実施形態において、例えば、図２に示すように、走行経路表示プログラム１１０ａと、地形データ１１０ｂと、走行データ１１０ｃとを記憶する。
【００１６】
走行経路表示プログラム１１０ａは、地形データ１１０ｂを表示部１３０に表示する際に、走行データ１１０ｃが示す走行経路を、車両２の運行状況に応じた表示態様で、表示部１３０に同時に表示するための機能を提供する。
【００１７】
地形データ１１０ｂは、車両２が走行するフィールドの形状を３次元の画像として表示部１３０に表示するためのデータである。
【００１８】
走行データ１１０ｃは、車両２の走行経路に関するデータ及び当該走行経路における車両２の運行状況に関するデータである。走行データ１１０ｃは、車両２の位置に対応付けて、車両２の速度、車両２の加速度、車両２の勾配及び車両２の標高に関するデータを、車両２の運行状況として保持する。図３は、走行データのデータ構成の一例を示す図である。図３に示すように、走行データ１１０ｃは、車両ごと（例えば、Ｍ１、Ｍ２）に保持される。走行データ１１０ｃには、計測時刻（例えば、Ｔ１）、当該計測時刻における車両の位置（例えば、Ｘ1，Ｙ１）、当該計測時刻における車両の速度（例えば、Ｖ１）、当該計測時刻における車両の加速度（例えば、α１）、当該計測時刻における車両の勾配（例えば、θ１）、当該計測時刻における車両の標高（例えば、Ｚ１）が含まれる。走行データ１１０ｃのうち、３次元で時系列的に測定された車両２の位置に関するデータは走行経路に関するデータとなり、３次元で時系列的に測定された車両２の速度、加速度、勾配、標高などに関するデータが車両の運行状況に関するデータに対応する。
【００１９】
なお、図３に示すデータ構成は、一例であり、図３に示すもの以外に、垂直速度、方位、前後加速度、横加速度、移動距離、気圧変化、温度変化などを走行データ１１０ｃとして記憶してもよい。また、図３に示す走行データ１１０ｃに含まれる数値は、車両２から取得した測定データに含まれる数値そのものでもよいし、車両２から取得した測定データに含まれる数値を用いて計算した値であってもよい。例えば、加速度及び勾配は、測定データに含まれる、前後する計測時刻に対応する数値の差に基づいて計算してもよい。
【００２０】
計測時刻は、車両２において測定器が位置を測定した時刻である。走行経路表示装置が無線通信等によって測定データをほぼリアルタイムで取得できる場合には、計測時刻は、走行経路表示装置１が車両２から測定データを取得した時刻であってもよい。車両２の勾配とは、車両２が走行している進行方向の傾きに対応する。車両２の標高とは、車両２が走行している位置の高度（海抜）に対応する。
【００２１】
制御部１２０は、各種処理を実行する。制御部１２０は、ＣＰＵ（Ｃｅｎｔｒａｌ  Ｐｒｏｃｅｓｓｉｎｇ  Ｕｎｉｔ）などの演算装置である。
【００２２】
制御部１２０は、車両２から取得した測定データを記憶部１１０に走行データ１１０ｃとして格納する。制御部１２０は、車両２から取得した測定データに含まれる値を用いて計算した値を、記憶部１１０に走行データ１１０ｃとして格納してもよい。制御部１２０は、車両２から取得した測定データのうち、誤りである可能性の高いデータ（例えば、前後の計測時刻との差又は比率が閾値よりも大きいデータ）については、記憶部１１０に格納せずに破棄してもよい。
【００２３】
さらに、制御部１２０は、記憶部１１０に記憶されている走行経路表示プログラム１１０ａを実行することにより、地形データ１１０ｂを表示部１３０に表示する際に、走行データ１１０ｃが示す走行経路を、車両２の運行状況に応じた表示態様で、表示部１３０に同時に表示する処理を行う。
【００２４】
具体的には、制御部１２０は、走行データ１１０ｃが示す走行経路を線として描画し、走行データ１１０ｃに含まれる運行状況に基づいて、走行経路における線の色を変化させる。例えば、制御部１２０は、走行経路における速度の変化に応じて、線に色を段階的に変化させる（多段階表示）。例えば、制御部１２０は、走行経路において速度が所定値以上である箇所の線の色の他の箇所とは異なる色にする（２段階表示）。例えば、制御部１２０は、走行経路における勾配の変化に応じて、線に色を段階的に変化させる（多段階表示）。例えば、制御部１２０は、走行経路において勾配が所定値以上である箇所の線の色を他の箇所とは異なる色にする（２段階表示）。例えば、制御部１２０は、走行経路における加速度の変化に応じて、線に色を段階的に変化させる（多段階表示）。例えば、制御部１２０は、走行経路において加速度が所定値以上である箇所の線の色を他の箇所とは異なる色にする（２段階表示）。
【００２５】
また、制御部１２０は、走行データ１１０ｃが示す走行経路を線として描画し、走行データ１１０ｃに含まれる運行状況に基づいて、走行経路における線の幅を変化させる。例えば、制御部１２０は、走行経路において速度が所定値以上である箇所の線の幅を他の箇所よりも広くする。例えば、制御部１２０は、走行経路において勾配が所定値以上である箇所の線の幅を他の箇所よりも広くする。例えば、制御部１２０は、走行経路において加速度が所定値以上である箇所の線の幅を他の箇所よりも広くする。例えば、制御部１２０は、速度、勾配及び加速度の少なくとも２つが所定値以上である箇所の線の幅を他の箇所よりも広くする。
【００２６】
制御部１２０は、線の幅を広げる全ての箇所において、線の幅を均一にしてもよいが、所定値から乖離量が大きくなるほど、線の幅が大きくなるように調整してもよい。制御部１２０は、速度が所定値以上である箇所、勾配が所定値以上である箇所を同時に表示する場合、例えば、速度が所定値以上である箇所は線の幅を他の箇所よりも広くし、勾配が所定値以上である箇所の色を他の箇所と異なる色となるように表示態様を変化させてもよいし、または、その逆であってもよい。制御部１２０は、加速度と速度の組合せ、加速度と勾配の組合せについても同様の方法で走行経路の表示態様を変更できる。
【００２７】
また、制御部１２０は、走行データ１１０ｃが示す走行経路を、当該走行経路に対して鉛直な方向に立体的な厚みを持った線として描画し、走行データ１１０ｃに含まれる運行状況に基づいて、厚みを変化させる。例えば、制御部１２０は、走行経路において速度が所定値以上である箇所の線の厚みを他の箇所よりも増やす。例えば、制御部１２０は、走行経路において勾配が所定値以上である箇所の線の厚みを他の箇所よりも増やす。例えば、制御部１２０は、走行経路において加速度が所定値以上である箇所の線の厚みを他の箇所よりも増やす。制御部１２０は、速度、勾配及び加速度の少なくとも２つが所定値以上である箇所の線の厚みを他の箇所よりも増やす。
【００２８】
制御部１２０は、線の厚みを増やす全ての箇所において、線の厚みを均一にしてもよいが、所定値から乖離量が大きくなるほど、線が厚くなるように調整してもよい。制御部１２０は、速度が所定値以上である箇所、勾配が所定値以上である箇所を同時に表示する場合、例えば、速度が所定値以上である箇所は線の厚みを他の箇所よりも増やし、勾配が所定値以上である箇所の色を他の箇所と異なる色となるように表示態様を変化させてもよいし、または、その逆であってもよい。制御部１２０は、加速度と速度の組合せ、加速度と勾配の組合せについても同様の方法で走行経路の表示態様を変更できる。
【００２９】
また、制御部１２０は、走行データ１１０ｃが示す走行経路を複数の点を含む点線として描画し、走行データ１１０ｃに含まれる運行状況に基づいて、点線に含まれる点の大きさを変化させる。例えば、制御部１２０は、走行経路において速度が所定値以上である箇所の点の大きさを他の箇所よりも大きくする。例えば、制御部１２０は、走行経路において勾配が所定値以上である箇所の点の大きさを他の箇所よりも大きくする。例えば、制御部１２０は、走行経路において加速度が所定値以上である箇所の点の大きさを他の箇所よりも大きくする。制御部１２０は、速度、勾配及び加速度の少なくとも２つが所定値以上である箇所の点の大きさを他の箇所よりも大きくする。
【００３０】
制御部１２０は、点線に含まれる点の大きさを大きくする全ての箇所において、点の大きさを均一にしてもよいが、所定値から乖離量が大きくなるほど、点の大きさが大きくなるように調整してもよい。制御部１２０は、速度が所定値以上である箇所、勾配が所定値以上である箇所を同時に表示する場合、例えば、速度が所定値以上である箇所は点の大きさを他の箇所よりも大きくし、勾配が所定値以上である箇所の色を他の箇所と異なる色となるように表示態様を変化させてもよいし、または、その逆であってもよい。制御部１２０は、加速度と速度の組合せ、加速度と勾配の組合せについても同様の方法で走行経路の表示態様を変更できる。
【００３１】
制御部１２０は、走行経路の表示態様の変更を行う場合、例えば、速度が時速５０キロメートル以上であるか、勾配が８％以上であるか、加速度が０．２５Ｇ以上であるかを判定する。これらの閾値は、例えば、車両のタイヤに対する負荷が大きく、タイヤの消耗を早める恐れがある区間を明示的に表示するために有効である。なお、速度、勾配、加速度の判定を行うための数値は一例であり、例えば、車両２の重量、積載物等の条件によりこれらの数値を適宜変更してよい。
【００３２】
また、制御部１２０は、走行経路を表示する際に、車両の進行方向を示す情報を付加してもよい。制御部１２０は、例えば、車両の走行経路を示す線を、車両の進行方向を示すような矢印にしたり、車両の走行経路を示す線の近傍に車両の進行方向を示す矢印を表示したりすることができる。
【００３３】
表示部１３０は、地形データ１１０ｂに基づく地形の画像と、走行データ１１０ｃが示す走行経路が車両２の運行状況に応じた表示態様に加工された画像とを同時に表示する。表示部１３０は、ディスプレイ、モニタ等の表示デバイスを含んで構成される。
【００３４】
操作部１４０は、利用者の各種操作入力を受け付ける。操作部１４０は、例えば、表示部１３０に走行経路を表示させる車両２の選択操作を受け付ける。キーボード、マウス等の入力デバイスを含んで構成される。
【００３５】
次に、図４〜図８を参照しつつ、本実施形態に係る走行経路表示方法を説明する。なお、本実施形態に係る走行経路表示方法は、上記制御部１２０が走行経路表示プログラム１１０ａを読み込んで実行することにより実現される。
【００３６】
図４は、本実施形態に係る走行経路表示方法の処理手順を示すフローチャートである。図５〜図８は、表示部に同時に表示される地形の画像と走行経路の画像の例を示す図である。
【００３７】
図４に示すように、制御部１２０は、例えば、操作部１４０を介して、走行経路を表示させる対象車両の選択を受け付けると（ステップＳ１０１）、記憶部１１０から地形データ１１０ｂを取得するとともに（ステップＳ１０２）、対象車両の走行データ１１０ｃを取得する（ステップＳ１０３）。
【００３８】
続いて、制御部１２０は、走行データ１１０ｃが示す走行経路を、車両２の運行状況に応じた表示態様に変更する（ステップＳ１０４）。
【００３９】
具体的には、制御部１２０は、走行データ１１０ｃが示す走行経路を線として描画し、走行データ１１０ｃに含まれる運行状況に基づいて、走行経路における線の色を変化させる。例えば、制御部１２０は、走行経路において速度が所定値以上である箇所、勾配が所定値以上である箇所の線の色を他の箇所とは異なる色にする。
【００４０】
あるいは、制御部１２０は、走行データ１１０ｃが示す走行経路を線として描画し、走行データ１１０ｃに含まれる運行状況に基づいて、走行経路における線の幅を変化させる。例えば、制御部１２０は、走行経路において速度が所定値以上である箇所、勾配が所定値以上である箇所、又は速度及び勾配が所定値以上である箇所の線の幅を他の箇所よりも広くする。
【００４１】
あるいは、制御部１２０は、走行データ１１０ｃが示す走行経路を複数の点を含む点線として描画し、走行データ１１０ｃに含まれる運行状況に基づいて、点線に含まれる点の大きさを変化させる。例えば、制御部１２０は、走行経路において速度が所定値以上である箇所、勾配が所定値以上である箇所、又は速度及び勾配が所定値以上である箇所の点の大きさを他の箇所よりも大きくする。
【００４２】
そのほか、制御部１２０は、走行データ１１０ｃが示す走行経路を、当該走行経路に対して鉛直な方向に立体的な厚みを持った線として描画し、走行データ１１０ｃに含まれる運行状況に基づいて、厚みを変化させてもよい。
【００４３】
続いて、制御部１２０は、地形データ１１０ｂに基づく地形の画像と、ステップＳ１０４で表示態様の変更を行った走行経路の画像とを、表示部１３０に同時に表示して（ステップＳ１０５）、図４に示す処理を終了する。制御部１２０は、例えば、対象車両の走行データ１１０ｃに含まれる位置のデータに基づいて、地形データ１１０ｂの中から適切なデータを取得し、３次元の地形の画像を生成する。そして、制御部１２０は、３次元の地形の画像と、運行状況によって表示態様の変更を行った走行経路の画像とを合成して、表示部１３０に同時に表示する。図５〜図８は、地形の画像ＬＳ１と走行経路の画像Ｒ１が同時に表示部１３０に表示された状態を示している。図５に示す色変更箇所ＣＡ１は、走行経路Ｒ１において、表示態様の変更条件に合致する箇所であり、走行経路Ｒ１上の他の箇所とは異なる色で表示される。図６に示す線幅変更箇所ＣＡ２は、走行経路Ｒ１において表示態様の変更条件に合致する箇所であり、走行経路Ｒ１上の他の箇所とは線の幅が異なる幅で表示される。図７に示す点サイズ変更箇所ＣＡ３は、走行経路Ｒ１において表示態様の変更条件に合致する箇所であり、走行経路Ｒ１上の他の箇所とは点の大きさが異なる大きさで表示される。図８に示す厚み変更箇所ＣＡ４は、走行経路Ｒ１において表示態様の変更条件に合致する箇所であり、走行経路Ｒ１上の他の箇所とは線の厚みが異なる厚みで表示される。
【００４４】
上述してきたように、本実施形態に係る走行経路表示装置１は、地形データ１１０ｂを表示部１３０に表示する際に、走行データ１１０ｃが示す走行経路を、車両２の運行状況に応じた表示態様で、表示部１３０に同時に表示する。例えば、走行経路表示装置１は、速度、勾配及び加速度の少なくとも１つが所定値以上の箇所の表示対象を変更した走行経路の画像を、地形の画像とともに表示する。このため、本実施形態によれば、従来のナビゲーションシステム等とは異なる方法で、車両２の運行状況を分り易く表示することができる。
【００４５】
（その他の実施形態）
上記の実施形態において、走行経路表示装置１は、車両２の運行状況を示すグラフを表示してもよい。図９は、車両の運行状況を示すグラフの例を示す図である。図９は、車両２の速度と走行距離との関係を示すグラフ、及び車両２の標高と走行距離の関係を示すグラフを表示している。走行経路表示装置１は、上記図５〜図８に示す画像と同時に、図９に示すグラフを表示部１３０に表示してもよいし、上記図５〜図８に示す画像とは別に、図９に示すグラフを表示部１３０に表示してもよい。表示するグラフの変数（例えば、速度、加速度、勾配、標高、走行距離、気圧、温度など）は、利用者が予め設定可能であるものとし、事後的に変更することも可能であるものとする。
【００４６】
また、走行経路表示装置１は、２次元で、地形の画像と、走行経路の画像とを同時に表示部１３０に表示してもよい。図１０は、表示部に同時に表示される地形の画像と走行経路の画像の他の例を示す図である。図１０は、２次元で、地形の画像ＬＳ２と走行経路の画像Ｒ２が同時に表示部１３０に表示された状態を示している。
【００４７】
上記の実施形態では、走行経路表示装置１は、速度、勾配及び加速度の少なくとも１つが所定値以上である箇所について、走行経路の表示態様を変更する例を説明したが、これには限定されない。例えば、走行経路表示装置１は、速度、勾配及び加速度の少なくとも１つが所定の値の範囲内にある区間について、走行経路の表示態様を変更してもよい。
【００４８】
上記の実施形態では、走行経路表示装置１が、車両２から取得した測定データに基づいて、必要に応じて演算等を実行して運行状況に関するデータを算出し、記憶部１１０に格納する例を説明したが、これには限定されない。例えば、車両２側で運行状況に関するデータの算出の処理を行ってもよい。
【００４９】
上記の実施形態では、走行経路表示装置１が、速度、勾配及び加速度の少なくとも１つが所定値以上の箇所の表示対象を変更した走行経路の画像を、地形の画像とともに表示する例について説明したが、車両２に搭載される表示部などにこれらの画像を表示して、運転方法の指導などを行ってもよい。例えば、勾配が所定値以上でタイヤの消耗が激しくなる区間に差し掛かった場合には、エンジンの回転数を所定値以内に収めるようなサポート情報（音声または画像）を出力するなどの方法で、運転方法の指導などを行ってもよい。
【符号の説明】
【００５０】
１  走行経路表示装置
２  車両
１１０  記憶部
１２０  制御部
１３０  表示部
１４０  操作部
【図１】
2014196633.tif 000003
【図２】
2014196633.tif 000004
【図３】
2014196633.tif 000005
【図４】
2014196633.tif 000006
【図５】
2014196633.tif 000007
【図６】
2014196633.tif 000008
【図７】
2014196633.tif 000009
【図８】
2014196633.tif 000010
【図９】
2014196633.tif 000011
【図１０】
2014196633.tif 000012
【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
表示部と、
３次元の地形データを記憶する地形データ記憶部と、
車両の走行経路及び当該走行経路における前記車両の運行状況に関する走行データを記憶する走行データ記憶部と、
前記地形データ記憶部に記憶されている前記地形データを前記表示部に表示する際に、前記走行データ記憶部に記憶されている前記走行データが示す走行経路を、前記運行状況に応じた表示態様で、前記表示部に同時に表示する制御部と
を有し、
前記走行データは、前記車両の位置に対応付けて、前記車両の速度、前記車両の加速度、前記車両の勾配及び前記車両の標高の少なくとも１つを前記運行状況として保持し、
前記制御部は、前記走行経路を表示する際に、前記速度、前記勾配及び前記加速度の少なくとも２つの変化に応じて、表示態様を変化させることを特徴とする走行経路表示装置。
【請求項２】
前記制御部は、前記速度が時速５０キロメートル以上であるか、前記勾配が８％以上であるか、前記加速度が０．２５Ｇ以上であるかを判定することにより、前記走行経路の表示態様を変化させることを特徴とする請求項１に記載の走行経路表示装置。
【請求項３】
前記制御部は、前記走行経路を線として描画し、前記運行状況に基づいて、前記走行経路における前記線の幅を変化させることを特徴とする請求項１又は２に記載の走行経路表示装置。
【請求項４】
前記制御部は、前記走行経路を当該走行経路に対して鉛直な方向に立体的な厚みを持った線として描画し、前記運行状況に基づいて、前記厚みを変化させることを特徴とする請求項１又は２に記載の走行経路表示装置。
【請求項５】
前記制御部は、前記走行経路を複数の点を含む点線として描画し、前記運行状況に基づいて、前記点線に含まれる点の大きさを変化させることを特徴とする請求項１又は２に記載の走行経路表示装置。
【請求項６】
前記制御部は、前記走行経路を表示する際に、車両の進行方向を示す情報を付加することを特徴とする請求項１〜５のいずれか１つに記載の走行経路表示装置。
【請求項７】
前記制御部は、前記走行経路を表示する際に、前記運行状況が所定の値の範囲内にある区間の表示態様を他の区間の表示態様と異ならせることを特徴とする請求項１〜６のいずれか１つに記載の走行経路表示装置。
【請求項８】
コンピュータに実行させる走行経路表示方法であって、
前記コンピュータに、
３次元の地形データを記憶する地形データ記憶部から前記地形データを取得するステップと、
車両の走行経路及び当該走行経路における前記車両の運行状況に関する走行データを記憶する走行データ記憶部から前記走行データを取得するステップと、
前記地形データを表示部に表示する際に、前記走行データ記憶部に記憶されている前記走行データが示す走行経路を、前記運行状況に応じた表示態様で、前記表示部に同時に表示するとともに、前記走行経路は、前記車両の速度、前記車両の勾配及び前記車両の加速度の少なくとも２つの変化に応じて、表示態様を変化させて表示するステップと
を実行させることを特徴とする走行経路表示方法。
【請求項９】
コンピュータに、
３次元の地形データを記憶する地形データ記憶部から前記地形データを取得するステップと、
車両の走行経路及び当該走行経路における前記車両の運行状況に関する走行データを記憶する走行データ記憶部から前記走行データを取得するステップと、
前記地形データを表示部に表示する際に、前記走行データ記憶部に記憶されている前記走行データが示す走行経路を、前記運行状況に応じた表示態様で、前記表示部に同時に表示するとともに、前記走行経路は、前記車両の速度、前記車両の勾配及び前記車両の加速度の少なくとも２つの変化に応じて、表示態様を変化させて表示するステップと
を実行させることを特徴とする走行経路表示プログラム。
【国際調査報告】
2014196633.tif 000013
2014196633.tif 000014
2014196633.tif 000015
2014196633.tif 000016
2014196633.tif 000017
2014196633.tif 000018